(57)【要約】    【課題】壁面への被膜の形成を水道水からでも行え、簡単かつ安価な構造であるにも拘わらず、確実に回収する。    【解決手段】壁面に被膜を形成する処理水を生成するための処理水生成部１と、処理水生成部１で生成された処理水を加圧する加圧部２と、加圧部２で加圧された処理水を壁面に吹き付けるための洗浄部３と、洗浄部３で壁面に吹き付けられた後の水を回収する回収部５とを備えた構成とする。【選択図】図１
0003120095.tif 000002
【実用新案登録請求の範囲】
【請求項１】
壁面に被膜を形成する処理水を生成するための処理水生成部と、
該処理水生成部で生成された処理水を加圧する加圧部と、
該加圧部で加圧された処理水を壁面に吹き付けるための洗浄部と、
該洗浄部で壁面に吹き付けられた後の水を回収する回収部と、
を備えたことを特徴とする壁面洗浄装置。
【請求項２】
前記処理水生成部と前記加圧部とを一体化したことを特徴とする請求項１に記載の壁面洗浄装置。
【請求項３】
前記加圧部は、処理水を加熱するための加熱機能を兼ね備える加熱・加圧部で構成したことを特徴とする請求項１又は２に記載の壁面洗浄装置。
【請求項４】
前記洗浄部は、略箱体形状で、前面が開口する洗浄ケーシング内に、パイプ部を、その中央部に形成した回転軸を回転可能に取り付けてなり、前記パイプ部は、両端部にノズルを備え、該ノズルは、前記回転軸を中心とする同一周方向に傾斜するように形成したことを特徴とする請求項１乃至３のいずれか１項に記載の壁面洗浄装置。
【請求項５】
前記回収部は、洗浄ケーシングの前面開口を壁面に対峙させることにより形成される洗浄空間内を負圧とすることにより、ノズルから壁面に吹き付けられた後の処理水を回収し、
前記洗浄ケーシングの開口縁部にはブラシ部を設け、該ブラシ部は、洗浄ケーシングの前面開口を壁面に対峙させた際、壁面と開口縁部との間に所定間隔を維持しつつ、前記ノズルから噴出される処理水が洗浄ケーシングの周囲に飛散することを防止し、かつ、周囲の空気を取り込み可能とすることを特徴とする請求項４に記載の壁面洗浄装置。
【請求項６】
前記回収部に回収される処理水から含有固形物を除去するフィルター部をさらに備えたことを特徴とする請求項１乃至５のいずれか１項に記載の壁面洗浄装置。
【請求項７】
前記回収部に回収された水を前記処理水生成部に還流させるようにしたことを特徴とする請求項６に記載の壁面洗浄装置。
【考案の詳細な説明】
【技術分野】
【０００１】
本考案は、壁面洗浄装置、特に、ビル等の外壁や内壁の洗浄に適した壁面洗浄装置に関するものである。
【背景技術】
【０００２】
従来、ビルの外壁を洗浄する場合、例えば、次のような構成の洗浄装置が使用されていた。すなわち、回収されたゴミを水と共に収容する回収タンクと、この回収タンク内を負圧状態とする吸引用のポンプと、このポンプから排出される排気流を送出する排気ホースと、回収タンクに連結されてゴミを水と共に吸引する回収ホースとから構成されるものである。この装置では、吸引用のポンプの排気流が排気ホースの先端から噴出されるのに伴い、排気ホースの先端付近に設けた洗浄液タンクから洗浄液が排出噴霧される（例えば、特許文献１参照）。
【０００３】
また、他の洗浄装置として、トルマリン、モナザイト、酸化亜鉛及びホウ砂を含有させた粒状セラミックを水活性タンクに充填し、該水活性タンクに通水して得られた活性水を被洗浄物の表面に噴出し、表面洗浄すると共に被膜を形成するようにしたものがある（例えば、特許文献２参照）。
【０００４】
【特許文献１】特開平１０−６６６６９号公報
【特許文献２】特開２００４−５００４３号公報
【考案の開示】
【考案が解決しようとする課題】
【０００５】
しかしながら、前者の洗浄装置では、外壁に被膜を形成するための構成を備えていないにも拘わらず構造が複雑である。
【０００６】
また、後者の洗浄装置では、活性水を被洗浄物の表面に吹き付けるようにしており、ビルの壁面、特に、外壁の高所の部分、あるいは、内壁の洗浄には利用できない。
【０００７】
そこで、本考案は、壁面への被膜の形成を水道水からでも行え、簡単かつ安価な構造であるにも拘わらず、確実に回収することのできる壁面洗浄装置を提供することを課題とする。
【課題を解決するための手段】
【０００８】
本考案は、前記課題を解決するための手段として、壁面洗浄装置を、壁面に被膜を形成する処理水を生成するための処理水生成部と、該処理水生成部で生成された処理水を加圧する加圧部と、該加圧部で加圧された処理水を壁面に吹き付けるための洗浄部と、該洗浄部で壁面に吹き付けられた後の水を回収する回収部とを備えた構成としたものである。
【０００９】
この構成により、処理水生成部で処理水を生成し、加圧部で得られた処理水を加圧して洗浄部に供給し、洗浄部で壁面に処理水を吹き付けて壁面に被膜を形成した後、回収部で壁面に吹き付けた後に得られる水を回収することができる。
【００１０】
前記処理水生成部と前記加圧部とを一体化すると、全体の構成をコンパクトなものとすることが可能となる点で好ましい。
【００１１】
前記加圧部は、処理水を加熱するための加熱機能を兼ね備える加熱・加圧部で構成すると、壁面への被膜の形成をより一層適切に行うことが可能となる点で好ましい。
【００１２】
前記洗浄部は、略箱体形状で、前面が開口する洗浄ケーシング内に、パイプ部を、その中央部に形成した回転軸を回転可能に取り付けてなり、前記パイプ部は、両端部にノズルを備え、該ノズルは、前記回転軸を中心とする同一周方向に傾斜するように形成するのが好ましい。
【００１３】
この構成により、洗浄部に特別な駆動機構を必要とすることなく壁面に向かって処理水を吹き付けることができる。このため、洗浄部を軽量化して安価に制作することが可能となる。また、加圧部の加圧能力もそれほど必要とされない。その上、ノズルから処理水を壁面に円状に吹き付けるようにしているので、壁面に沿って洗浄部を移動させるだけで、広い範囲で一様に被膜を形成することができる。
【００１４】
前記回収部は、洗浄ケーシングの前面開口を壁面に対峙させることにより形成される洗浄空間内を負圧とすることにより、ノズルから壁面に吹き付けられた後の処理水を回収し、前記洗浄ケーシングの開口縁部にはブラシ部を設け、該ブラシ部は、洗浄ケーシングの前面開口を壁面に対峙させた際、壁面と開口縁部との間に所定間隔を維持しつつ、前記ノズルから噴出される処理水が洗浄ケーシングの周囲に飛散することを防止し、かつ、周囲の空気を取り込み可能とするのが好ましい。
【００１５】
この構成により、洗浄ケーシングの前面開口を壁面に対峙させると、開口縁部と壁面との間にブラシ部が介在するので、壁面に傷を付けることがない。そして、回収部によって洗浄空間が負圧となるので、ブラシ部を介して周囲の空気が吸い込まれ、処理水が周囲に飛散することを防止しつつ、壁面に吹き付けられた後の処理水を確実に回収することができる。
【００１６】
前記回収部に回収される処理水から含有固形物を除去するフィルター部をさらに備えると、壁面への被膜の形成のみならず、壁面の洗浄をも行うことが可能となる点で好ましい。
【００１７】
前記回収部に回収された水を前記処理水生成部に還流させるようにすると、破棄する水量を無くして資源を有効利用することが可能となる点で好ましい。
【考案の効果】
【００１８】
本考案によれば、処理水生成部を備えているので、水道水を供給するだけで、簡単に壁面に被膜を形成可能となる。しかも、被膜を形成した後の水を回収部にて確実に回収することができるので、周囲に飛散することもない。したがって、ビルの外壁のみならず内壁等、水が飛散して困る場所でも確実に被膜を形成することが可能となる。
【考案を実施するための最良の形態】
【００１９】
以下、本考案の実施形態について添付図面を参照しつつ説明する。
図１は、本実施形態に係る壁面洗浄装置を示す。この壁面洗浄装置は、大略、処理水生成部１、加熱・加圧部２、洗浄部３、フィルター部４、及び、回収部５で構成されている。
【００２０】
処理水生成部１は、水道水を壁面の洗浄に適した処理水とするためのもので、水活性タンク６内に、トルマリン、モザナイト、酸化亜鉛及びホウ砂を含有させたセラミックス７が充填されている（詳しくは、特開２００４−５００４３号公報等参照）。これにより、水活性タンク６内に注入された水道水に、セラミックス７から含有物が微量溶出し、水活性化が促進されて処理水が得られる。処理水は、壁面に吹き付けられることにより、その表面に被膜を形成し、光沢性に優れたものとする。
【００２１】
加熱・加圧部２は、加圧ケーシング８内に、ヒータ９を備えた貯留タンク１０と、加圧ポンプ１１とを内蔵した構成である。加熱・加圧部２では、加圧ポンプ１１を駆動することにより、貯留タンク１０内でヒータ９により加熱した処理水を、加圧状態として洗浄部３へと供給する。ヒータ９による加熱温度や加圧ポンプ１１による加圧圧力については調整可能とするのが好ましい。
【００２２】
加熱温度は対象となる壁面の材質に基づいてスイッチ等の選択手段により作業者が決定するように構成すればよい。例えば、樹脂や木材からなる壁面であれば、加熱温度をそれ程高くすると壁面にダメージを与えることがあるが、適切な加熱温度に設定することにより、洗浄及び被膜形成に最も適した温度とすることができる。
【００２３】
また、加圧圧力は、後述する洗浄部３の使用環境に応じてスイッチ等の選択手段により作業者が決定するように構成すればよい。例えば、貯留タンク１０の位置に対する洗浄部３の位置が高ければ高い程、加圧ポンプ１１による加圧圧力が大きくなるように調整すれば、常に同一噴出圧力で処理水を壁面に吹き付けることができる。
【００２４】
なお、選択手段には、ダイヤル式、デジタル式等、種々のものが使用でき、加熱温度であれば温度や材質、加圧圧力であれば加熱・加圧部２から洗浄位置までの高さ等、種々の選択項目から選択可能とすればよい。前記加熱温度及び前記加圧圧力については、通常使用される条件をデフォルト値として設定しておけばよい。また、選択手段は、加熱・加圧部２に設けるだけでなく、洗浄部３に設けて洗浄作業を行いながら調整できるようにすることも可能である。さらに、加圧圧力については、加圧ポンプ１１に作用する負荷の変化を、加圧ポンプ１１の駆動電流を検出することにより自動的に調整するようにしてもよい。
【００２５】
洗浄部３は、図２に示すように、略箱体形状で、前面が開口する洗浄ケーシング１２内に、回転可能にパイプ部１３を取り付けた構成である。
【００２６】
洗浄ケーシング１２の後壁には、図３に示すように、加熱・加圧部２から延びるホースＨ１が、トリガ部１４を介して接続される流入部１５が形成されている。トリガ部１４は、ホースＨ１が直接接続される把持部１６を備え、この把持部１６内には流路が形成され、ホースＨ１から供給される処理水をパイプ部１３へと導く。流路の途中には図示しない開閉弁が設けられ、常態においては閉鎖されている。トリガ部１４には、矩形状となった内側に引き金１７が設けられ、把持部１６を掴んだ手で引き金１７を引けば、開閉弁が連動して把持部１６内の流路が閉状態から開状態へと切り替わる。
【００２７】
また、洗浄ケーシング１２の側壁（使用時に下方に位置する壁）には、洗浄ケーシング１２内の処理水を回収して回収部５へと流下させるためのホースＨ２が接続される流出部１８が形成されている。
【００２８】
さらに、洗浄ケーシング１２の開口縁部には、図２及び図３に示すように、例えば、耐熱ナイロンからなる複数本の毛を設けてなるブラシ部１９が設けられている。ブラシ部１９は、洗浄ケーシング１２の開口縁部側をビルの壁面（外壁や内壁）に押し付ける際、いわゆるクッションとして機能し、壁面に傷が付くことを防止する。また、ブラシ部１９は密に設けられており、洗浄ケーシング１２と壁面とで形成される洗浄空間内の処理水が周囲に飛散することを防止する。さらに、周囲の空気を洗浄空間内に吸い込むことを可能とする。この場合、ブラシ部１９により適度な負圧状態を維持することにより、洗浄部３が壁面に吸い付くようにし、作業者が洗浄部３を保持しておく力を軽減可能としてもよい。ブラシ部１９は弾性変形容易であるので、洗浄部３を壁面に沿ってスムーズに移動させることができる。
【００２９】
パイプ部１３は中央部に設けた回転軸２０を洗浄ケーシング１２の後壁中央部（前記流入部１５に連続する部分）に回転自在に支持されている。支持構造には、例えば、防水ボールベアリング等が使用可能である。回転軸２０は中空で、洗浄ケーシング１２に形成した流通部２１を介して加熱・加圧部２から処理水が供給され、パイプ部１３の両端部へと流動させる。パイプ部１３の両端部にはノズル２２がそれぞれ形成されている。
【００３０】
ノズル２２は、吹出方向が前記回転軸２０を中心とする同一周方向に傾斜するように形成されている。これにより、ノズル２２から処理水が噴き出されれば、その反力でパイプ部１３が回転軸２０を中心として回転するように構成されている。また、ノズル２２は２箇所にのみ形成されただけであるので、加圧ポンプ１１に吐出能力がそれほど高くない安価なものを使用しても処理水の噴出圧力の低下を招くことがない。なお、ノズル２２からの処理水の噴出圧力は、処理水により壁面により一層適切な被膜を形成できるように洗浄の場合に比べて抑えられている。
【００３１】
フィルター部４は、前記洗浄部３から回収された洗浄水から土や小石等の含有固形物を除去する。但し、洗浄後の壁面に前記処理水を吹き付けて表面に被膜を形成するだけであれば、フィルター部４は必ずしも必要なものではない。
【００３２】
回収部５は、回収ケーシング２３内に回収ポンプ２４を収容したもので、ホースＨ４を介して前記洗浄ケーシング１２の流出部１８に接続されている。そして、回収ポンプ２４を駆動することにより、前記洗浄部３の洗浄空間を負圧とし、壁面に吹き付けられた後の処理水を回収する。
【００３３】
次に、前記構成からなる壁面洗浄装置の動作について説明する。
【００３４】
水道の蛇口からホースＨ３を介して処理水生成部１の水活性タンク６内に水道水を導き、この水道水にセラミックス７に含有させた成分を溶出させることにより処理水を得る。そして、加熱・加圧部２でヒータ９に通電すると共に加圧ポンプ１１を駆動する。これにより、水活性タンク６内で得られた処理水が、加圧ケーシング８内の貯留タンク１０内へと流入し、ヒータ９で加熱されて高温処理水となった後、加圧ポンプ１１で加圧されて洗浄部３から供給可能な状態となる。
【００３５】
この状態で、把持部１６を掴んで、洗浄ケーシング１２の開口縁部に設けたブラシ部１９を洗浄しようとする壁面に押し付ける。ブラシ部１９の存在により壁面に傷が付くのを防止できる。そして、引き金１７を引けば、前記加熱・加圧部２からの高温処理水が加圧状態でパイプ部１３へと供給される。これにより、パイプ部１３の両端部にそれぞれ形成したノズル２２から壁面に向かって処理水が吹き付けられる。ノズル２２からの噴出方向は前述の通りであるので、噴出による反力でパイプ部１３が回転する。したがって、ノズル２２から噴出された処理水は壁面に対して同一円周上に吹き付けられる。そこで、壁面に沿ってブラシを摺接させながら洗浄部３を移動させると、処理水を壁面に対して所定範囲（ほぼ洗浄ケーシング１２で覆われながら移動する範囲）で一様に吹き付けることができる。このとき、壁面に被膜が形成される。
【００３６】
また、回収部５で回収ポンプ２４を駆動し、洗浄ケーシング１２と、押し付けた壁面とによって形成される洗浄空間を負圧とする。これにより、処理水が壁面に吹き付けられた後、フィルター部４を介して回収部５へと回収される。また、ブラシ部１９を介して周囲の空気が前記洗浄空間内に吸い込まれる。しかも、ブラシ部１９は毛が密に配設されている。したがって、処理水が周囲に飛散することはない。
【００３７】
回収部５に回収される水は、フィルター部４で土等の含有固形物を除去された後、下水等に流下される。この水は、水活性タンク６で得られた処理水が、含有する物質を壁面に付着させた後に得られる元の水道水とほぼ同様な成分の水である。しかも、フィルター部４で土等が除去されている。したがって、そのまま下水等に流下させても自然環境を破壊することがない。
【００３８】
なお、前記実施形態では、処理水生成部１と加熱・加圧部２とを別体で設けるようにしたが、両機能を兼ね備えた一体構造とすることも可能である。すなわち、処理水生成部１に、別途、ヒータ９とポンプ１１を内蔵させ、得られた処理水を直ちに加熱・加圧するようにしてもよい。これにより、余分な装置が不要となり壁面洗浄装置の構成を簡略化することが可能となる。さらに、回収部５をも一体化（１つのケーシング内に収容）すれば、より一層構成を簡略化することが可能である。
【００３９】
また、前記実施形態では、フィルター部４を設けて処理水による壁面に被膜を形成する場合について説明したが、被膜の形成前にノズル２２から壁面に吹き付ける水圧を大きくすることにより洗浄を行うようにすればよい。この場合、洗浄と被膜形成とで、異なる内径のノズル２２を備えた洗浄部３に取り替えればよい。そして、洗浄の場合には処理水生成部１は不要となり、水道水を直接加熱・加圧部の貯留タンク１０に流入させればよい。
【００４０】
また、前記実施形態では、壁面に処理水を吹き付けて回収した後はそのまま破棄するようにしているが、処理水（洗浄の場合は水道水）を循環させて再利用可能としてもよい。すなわち、回収部５から破棄していた水を水活性タンク６内に還流させ、不足分を水道水で補うようにすればよい。これにより、使用する水量を大幅に抑制することが可能となる。
【００４１】
この場合、水活性タンク６の容量を、対象となる壁面にとって、洗浄あるいは被膜の形成に十分な値とすれば、水道水を導くためのホースＨ３と、破棄するためのホースＨ５とが不要となる。そして、ケーシング内に、処理水生成部１、加熱・加圧部２、回収部５を設けて一体構造とすれば、ケーシングと洗浄部３とをつなぐ２本のホースＨ１，Ｈ２以外のホースＨ３〜Ｈ５が不要となり、非常に簡略化した構成とすることができる。しかも、ケーシングの下面にキャスター等を設ければ、搬送しやすくなり、搬送場所の自由度も拡大するので、非常に使い勝手がよくなる。また、前記２本のホースを２重構造とし、内側に処理水を洗浄部３へと導く流路を形成する一方、外側に壁面に吹き付けた後の処理水を還流させるようにすれば、より一層すっきりとした構成とすることが可能となる。
【図面の簡単な説明】
【００４２】
【図１】本実施形態に係る壁面洗浄装置の概略を示す図である。
【図２】図１の洗浄部を示す斜視図である。
【図３】図２の側面断面図である。
【符号の説明】
【００４３】
１…処理水生成部
２…加熱・加圧部
３…洗浄部
４…フィルター部
５…回収部
６…水活性タンク
７…セラミックス
８…加圧ケーシング
９…ヒータ
１０…貯留タンク
１１…加圧ポンプ
１２…洗浄ケーシング
１３…パイプ部
１４…トリガ部
１５…流入部
１６…把持部
１７…引き金
１８…流出部
１９…ブラシ部
２０…回転軸
２１…流通部
２２…ノズル
２３…回収ケーシング
２４…回収ポンプ
【図１】
0003120095.tif 000003
【図２】
0003120095.tif 000004
【図３】
0003120095.tif 000005